(57)【要約】  電気コネクタ組立体は、第１コネクタおよび第２コネクタを備える。第１コネクタは、ソケットを備え、かつ第２コネクタは、スリーブを備え、ソケットは、スリーブを囲むよう構成されている。封止システム（２８，３２）は、スリーブを囲む前方部分（３Ａ，３０Ｂ）および第２コネクタの後部ハウジングを囲む後方部分（３２）を備える。
2013516032.tif 000002
【特許請求の範囲】
【請求項１】
第１ケーシング（１６）および第１端子を有する第１コネクタ（１０）と、第２ケーシング（２６）および第２端子を有する第２コネクタ（１２）と、を備えるコネクタ組立体であって、
前記第１および第２コネクタ（１０，１２）は、前記第１および第２端子を共に接続するために、嵌合軸（Ｘ−Ｘ）に沿って嵌合かつ取り外されるよう構成され、
前記第１コネクタ（１０）は、前記第１端子を囲むソケット（１４）を備え、および前記第２コネクタ（１２）は、前記第２端子を囲むスリーブ（２４）を備え、前記ソケット（１４）は、前記第１および第２コネクタ（１０，１２）が嵌合する場合に、前記スリーブ（２４）を受け入れるよう構成され、
前記第１ケーシング（１６）は、前記円筒状ソケット（１４）を備え、
前記第２ケーシング（２６）は、後部ハウジングを備え、該後部ハウジングから前記スリーブ（２４）が前記嵌合軸（Ｘ−Ｘ）に沿って前方に突出し、
前記第２ケーシング（２６）は、前方部分（３０）および後方部分（３２）を有する封止システム（２８，３０，３２）を含み、
前記第１および前記第２コネクタ（１０，１２）の嵌合位置において、前記前方部分（３０）は前記円筒状スリーブ（２４）を囲み、前記ソケット（１４）および前記スリーブ（２４）の間の封止を提供し、かつ
前記後方部分（３２）は、前記第２ケーシング（２６）の前記後部ハウジング（２５）を囲み、前記第１ケーシング（１６）のハウジング（１８）および前記第２ケーシング（２６）の前記後部ハウジング（２５）の間の封止を提供する、コネクタ組立体。
【請求項２】
前記前方部分（３０）および前記後方部分（３２）が個別の要素である、請求項１に記載のコネクタ組立体。
【請求項３】
前記前方部分（３０Ａ，３０Ｂ，３０Ｃ，３０Ｄ，３０Ｅ）が前記後方部分（３２）と一体である、請求項１に記載のコネクタ組立体。
【請求項４】
少なくとも１つの前記前方部分（３０；３０Ａ，３０Ｂ，３０Ｃ，３０Ｄ，３０Ｅ）および後方部分（３２）が、前記嵌合軸（Ｘ−Ｘ）に関して軸方向の圧縮封止である、請求項１〜３のいずれか一項に記載のコネクタ組立体。
【請求項５】
少なくとも１つの前記前方部分（３０；３０Ａ，３０Ｂ，３０Ｃ，３０Ｄ，３０Ｅ）および後方部分（３２）が、前記嵌合軸（Ｘ−Ｘ）に関して半径方向の圧縮封止である、請求項１〜４のいずれか一項に記載のコネクタ組立体。
【請求項６】
前記前方部分（３０Ａ−３０Ｅ）が、外面（３３Ａ−３３Ｅ）を備え、該外面には、前記第１および第２コネクタ（１０，１２）が嵌合する場合に、対応する円筒状ソケット（１４Ａ，１４Ｂ）の内面（１５Ａ，１５Ｂ）に対して圧縮されるよう構成された膨隆部（３４Ａ，３４Ｂ）が設けられている、請求項５に記載のコネクタ組立体。
【請求項７】
前記後方部分（３２）が外面（３３）を備え、該外面には、前記第１および第２コネクタ（１０，１２）が嵌合する場合に、前記第１ケーシング（１８）の前記ハウジング（１８）の内面（１８Ａ）に対して圧縮されるよう構成された膨隆部が設けられている、請求項１〜６のいずれか一項に記載のコネクタ組立体。
【請求項８】
前記後方部分（３２）が外面（３３）を備え、該外面には、前記第１および第２コネクタ（１０，１２）が嵌合する場合に、前記ソケット（１４；１４Ａ，１４Ｂ，１４Ｃ，１４Ｄ，１４Ｅ）の自由端部（１４’Ａ，１４’Ｂ）に対して圧縮されるよう構成された横方向に平らな部分（５０）が設けられている、請求項１〜７のいずれか一項に記載のコネクタ組立体。
【請求項９】
前記後方部分（３２）を前記第２コネクタ（１２）に保持するために、前記後方部分（３２）には、前記第２ケーシング（２６）の相補的な保持手段（６２）と協働するよう構成された複数の保持手段（６０）が設けられている、請求項１〜８のいずれか一項に記載のコネクタ組立体。
【請求項１０】
請求項１〜９のいずれか一項に記載のコネクタ組立体のための、前記コネクタ組立体の前記封止システム（２８）の特徴を備える封止システム。
【発明の詳細な説明】
【技術分野】
【０００１】
本発明は、例えば電気−燃料ハイブリッド自動車または完全な電気自動車の電源コネクタ組立体などのコネクタ組立体に関連する。
【背景技術】
【０００２】
自動車産業における最近の傾向は、大電流および／または高電圧のケーブルを介してバッテリーによって給電される電気−燃料ハイブリッド自動車または完全な電気自動車にある。
【０００３】
電気コネクタ組立体は、バッテリーを電気エンジン、または他の電気装置に電気的に接続するために使用される。例えば、コネクタ組立体は、一方を他方に結合するよう構成された一対のコネクタを備え、第１のコネクタは、バッテリー側に接続され、かつ第２の相補的なコネクタは、電気装置またはエンジンに接続される。
【０００４】
電気コネクタは、通常絶縁ケーシングおよび電気端子を備える。両方のコネクタの電気端子は、ケーシングが互いに機械的に接続されると、互いに電気的に接触するようになる。自動車用途においては、水密性能に関する厳しい要求に合致しなければならない。実際、コネクタ組立体は、通常エンジンルームに取り付けられ、それゆえ特に水、ホコリ等の厳しい環境にさらされる。回路の短絡および金属端子の腐食を防ぐために、コネクタ組立体内の漏洩を回避しなければならない。この目的を達成するために、従来技術においては、水に対する障壁として作用する水封手段をコネクタ組立体内に組み入れることが知られている。従来のコネクタ組立体においては、水、湿気またはちりがケーブルの入口側から入ることを防ぐように各室の開口部を封じるために、封止手段は、界面封止継手を備え、および／またはケーブルコネクタの場合は、電線の周囲に配置されたケーブル封止を備える。
【０００５】
さらに、コネクタ組立体は、電力を送るために使用される。大電流および高電圧（例えば２５０Ａ，６００Ｖ）であるため、使用者と電力端子との可能性のあるすべての物理的な接触を防ぐ手段を設ける必要がある。このため、端子へのアクセスを妨げる壁などの耐接触手段を有するコネクタハウジングの設計が知られている。
【発明の概要】
【発明が解決しようとする課題】
【０００６】
本発明の目的は、より確実かつ安全なコネクタ組立体、すなわち耐接触手段によって端子が保護された改善された防水性コネクタ組立体の要求に応えることである。
【課題を解決するための手段】
【０００７】
この目的のために、第１ケーシングおよび第１電力接点を有する第１コネクタと、第２ケーシングおよび第１電力接点を有する第２コネクタとを備える電気コネクタ組立体が提供される。もちろん本発明の電気コネクタ組立体は、２以上の電力接点が設けられた第１および第２コネクタを備えることができる。第１および第２コネクタは、嵌合軸に沿って選択的に嵌合かつ取り外され、第１電力接点を共に電気的に接続する。第１コネクタは、第１コネクタの第１電力接点を囲む円筒状ソケットを備え、および第２コネクタは、第２コネクタの第１電力接点を囲む円筒状スリーブを備える。円筒状ソケットは、第１および第２コネクタが嵌合する場合に円筒状スリーブを囲むよう構成されている。
【０００８】
封止システムが第２ケーシングに設けられ、および前方部分および後方部分を備える。前方部分は、円筒状スリーブを囲み、第１および第２コネクタが嵌合する場合に円筒状ソケットおよび円筒状スリーブの間を封止する。後方部分は、第２ケーシングの後部ハウジングを囲み、第１および第２コネクタが嵌合する場合に第１ケーシングのハウジングおよび第２ケーシングの後部ハウジングの間を封止する。
【０００９】
これらの特徴によって、本発明の電気コネクタ組立体は、防水となる。第１封止障壁がソケットおよびケーシングの間に設けられ、および第２封止障壁がソケットおよびスリーブの間に設けられ、第２封止の目的は、第１封止が機能しない場合に追加的な封止を提供することである。さらに、本発明の封止システムは、使用者の接触から端子を保護する機能のスリーブ部材を有するコネクタに適している。
【００１０】
本発明の様々な実施形態において、請求項に規定された１つのおよび／または他の特徴を組み合わせることができる。
【００１１】
本発明の他の特徴および利点は、非限定的な例として提供された、いくつかの実施形態についての以下の説明、および添付図面により容易に明らかになるだろう。
【図面の簡単な説明】
【００１２】
【図１】実施形態によるコネクタ組立体の第１コネクタの斜視図である。
【図２】封止システムが設けられ、かつ図１の第１コネクタに結合するよう意図された第２コネクタの斜視図である。
【図３Ａ】コネクタ組立体に設けられた実施形態による封止システムの概略断面図である。
【図３Ｂ】コネクタ組立体に設けられた他の実施形態による封止システムの概略図である。
【図４】他の実施形態によるコネクタ組立体の第１コネクタの斜視図である。
【図５Ａ】図４の第１コネクタに結合するよう意図された第２コネクタの斜視図である。
【図５Ｂ】封止システムが設けられた図５Ａの第２コネクタの斜視図である。
【図６Ａ】図５Ｂの第２コネクタに設けられた封止システムの斜視図である。
【図６Ｂ】図６Ａの封止システムの上面図である。
【図６Ｃ】図６Ａの封止システムの横面図である。
【図７】図４の第１コネクタが図５Ｂの第２コネクタに嵌合した後に得られるコネクタ組立体の横断面図である。
【図８】他の実施形態によるコネクタ組立体の第１コネクタの斜視図である。
【図９Ａ】図１の第１コネクタに結合するよう意図された第２コネクタの斜視図である。
【図９Ｂ】封止システムが設けられた図９Ａの第２コネクタの斜視図である。
【図１０Ａ】図９Ｂの第２コネクタに設けられた封止システムの斜視図である。
【図１０Ｂ】図１０Ａの封止システムの上面図である。
【図１ＯＣ】図１０Ａの封止システムの横面図である。
【図１１】他の実施形態によるコネクタ組立体の第１コネクタの斜視図である。
【図１２Ａ】図１１の第１コネクタに結合するよう意図された第２コネクタの斜視図である。
【図１２Ｂ】図１２Ａ封止システムが設けられた第２コネクタの斜視図である。
【図１３Ａ】図１２Ｂの第２コネクタに設けられた封止システムの斜視図である。
【図１３Ｂ】図１３Ａの封止システムの上面図である。
【図１３Ｃ】図１３Ａの封止システムの横面図である。
【図１４】嵌合する前のシステムの概略図である。
【発明を実施するための形態】
【００１３】
異なる図において、同じ符号は同等の、または類似の要素を示す。
【００１４】
図１は、第１コネクタ１０を詳細に示しており、第1コネクタは、長手方向の嵌合軸Ｘ−Ｘに沿って図２に示す第２コネクタ１２に嵌合する。
【００１５】
第１コネクタ１０は、例えば電力端子（図では見えない）などの第１端子を囲み、かつ嵌合軸Ｘ−Ｘに沿って基部ケーシング１６から延在する円筒状ソケット１４を備える。ソケット１４は、円筒状ソケット１４を囲む第１ハウジング１８によって境界が定められている。外側ハウジング２０が第１ハウジング１８の周りにさらに設けられている。内側および外側ハウジング１８および２０は、環状空間２２を形成する。
【００１６】
図２の第２コネクタは、第２端子（図では見えない）を囲み、かつ第２ケーシング２６に設けられた後部ハウジング２５から嵌合軸Ｘ−Ｘに沿って延在する円筒状スリーブ２４を備える。円筒状ソケット１４は、第１および第２コネクタが共に嵌合軸Ｘ−Ｘに沿って嵌合する場合、この円筒状スリーブ２４を受け入れるよう設計される。確実に２つのコネクタ１０および１２の間を封止するために、第２ケーシング２６には封止システム２８が設けられる。封止システム２８は、円筒状ソケット１４および円筒状スリーブ２４の間の封止を確実にするために円筒状スリーブ２４を囲む前方部分３０と、第１および第２コネクタ１０および１２が嵌合する場合に、第１ケーシング１６の内側ハウジング１８および第２ケーシング２６の後部ハウジング２５の間の封止を確実にするために、第２ケーシング２６の後部ハウジング２５を囲む後方部分３２を備える。
【００１７】
これら前方３０および後方３２部分は、図２に示すように個別の部品とすることができる、または他の実施形態として図６Ａ〜図６Ｃ、図１０Ａ〜図１０Ｃおよび図１４Ａ〜図１４Ｃに示すように、封止システム２８を前方部分が後方部分に一体の１つの部品とすることができる。
【００１８】
封止システム２８の前方部分および後方部分のそれぞれ１つは、（図３Ａに図式的に示されているように）嵌合軸Ｘ−Ｘに関して軸方向の圧縮封止として、または図式的に図３Ｂに示されているように嵌合軸Ｘ−Ｘに関して半径方向の圧縮封止のどちらかとして機能する。
【００１９】
図４、図５Ａ、図５Ｂ、図６Ａ〜図６Ｃ、図７および図８に示す実施形態においては、コネクタ組立体は、２対の電力端子を備え、各コネクタに１対ある。
【００２０】
図４を参照すると、第１コネクタ１０は、それぞれ第１電力端子を囲む第１円筒状ソケット１４Ａと、第２電力端子を囲む第２円筒状ソケット１４Ｂとを備える。第１円筒状ソケット１４Ａおよび第２円筒状ソケット１４Ｂの両方は、基部ケーシング１６から嵌合軸Ｘ−Ｘに沿って延在する。基部ケーシング１６には、第１円筒状ソケット１４Ａおよび第２円筒状ソケット１４Ｂを共に囲む内側ハウジング１８と、内側ハウジング１８を囲む外側ハウジング２０とが設けられている。２つのソケットが並んで設けられているため、内側ハウジング１８および外側ハウジング２０の外形は、卵形を有する。内側および外側ハウジング１８および２０は、環状空間２２を形成する。
【００２１】
図４の第１コネクタ１０に結合するよう意図された第２コネクタ１２は、図５Ａおよび図５Ｂに示されている。
【００２２】
第２コネクタ１２は、それぞれが相補的な電力端子を受容する２つの円筒状スリーブ２４Ａ，２４Ｂを備える。第１円筒状スリーブ２４Ａおよび第２円筒状スリーブ２４Ｂの両方は、第２ケーシング２６から嵌合軸Ｘ−Ｘに沿って延在する。第１コネクタの各円筒状ソケットは、嵌合軸Ｘ−Ｘに沿って第１および第２コネクタが共に嵌合する場合、第２コネクタの対応する円筒状スリーブを内部に受け入れるよう構成されている。２つのコネクタ１０および１２の間の封止を提供するために、第２（プラグ）コネクタ１２には、図５Ｂに示されるように封止システム２８が設けられている。
【００２３】
封止システム２８は、第１円筒状ソケット１４Ａおよび第１円筒状スリーブ２４Ａの間の封止を確実にするために、第１円筒状スリーブ２４Ａを囲む第１前方部分３０Ａと、第２円筒状ソケット１４Ｂおよび第２円筒状スリーブ２４Ｂの間の封止を確実にするために、第２円筒状スリーブ２４Ｂを囲む第２前方部分３０Ｂと、を備える。
【００２４】
封止システム２８は、第１および第２コネクタ１０および１２が嵌合する場合に、内側ハウジング１８および第２ケーシング２６の後部ハウジング２５の間の封止を確実にするために、第２ケーシング２６の後部ハウジング２５を囲む後方部分３２をさらに備える。
【００２５】
本発明の封止システム２８は、シリコン材料とすることができ、かつ図６Ａ〜図Ｃに詳細に示されるように、１つの部品とすることができ、第１および第２前方部分３０Ａおよび３０Ｂは、一体となった後方部分３２から嵌合軸Ｘ−Ｘに沿って並んで延在している。後部ハウジングは、好ましくは外側が卵形であり、したがって後方部分３２は、対応する卵形の外形を有する。
【００２６】
封止システム２８の前方部分および後方部分の少なくとも１つは、図３Ａに図式的に示すように嵌合軸Ｘ−Ｘに関して軸方向の圧縮封止とすることができる、または図３Ｂに図式的に示すように嵌合軸Ｘ−Ｘに関して半径方向の圧縮封止とすることができる、または軸方向の圧縮封止および半径方向の圧縮封止の両方とすることができる。「軸方向の圧縮封止」という言葉は、嵌合方向に平行な圧縮力下において、嵌合軸Ｘ−Ｘに対して実質的に垂直な方向に材料がひずむ封止システムを意味する。「半径方向の圧縮封止」という言葉は、嵌合軸に垂直の圧縮力下において、嵌合軸Ｘ−Ｘに対して実質的に平行な方向に材料がひずむ封止システムを示す。
【００２７】
例えば、各第１および第２前方部分３０Ａおよび３０Ｂは、第１および第２コネクタ１０および１２が嵌合する場合に（図７参照）、内側ハウジング１８の内面１５Ａおよび１５Ｂに対して半径方向に圧縮されるよう構成された各円筒状膨隆部３４Ａ，３４Ｂが設けられた各外面３３Ａ，３３Ｂを備える。各円筒状膨隆部３４Ａ，３４Ｂは、２つの傾斜した面を備える。
【００２８】
第１前方部分３０Ａについて（しかし第２前方部分３０Ｂも同じ）図６Ｃによく示されるように、膨隆部３４Ａは、環状の頂部４０Ａで結合する２つの傾斜した環状面３６Ａおよび３８Ａを備える。頂部４０Ａは、第１前方部分３０Ａの他の外形より大きい外形を有しており、第１円筒状スリーブ２４Ａが対応する第１円筒状ソケット１４Ａ（図７参照）に収容された場合に、圧縮することができるようになっている。この幾何学的な形状により、第１および第２コネクタ１０および１２が嵌合する場合に第１前方部分３０Ａは、半径方向に圧縮される。
【００２９】
第１および第２コネクタが嵌合する場合に、内側ハウジング１８の内面１８Ａに対して圧縮されるよう構成された類似の膨隆部４２が後方部分３２の外面３３に設けられる。膨隆部３４Ａと同様に、膨隆部４２は、環状の頂部４８で結合する２つの傾斜した環状面４４および４６を備え、外形の大きさはまた、後方部分３２の外面３３の外形の大きさよりも大きい。
【００３０】
図７に良く示されるように、内側ハウジング１８の内面１８Ａは、対応する第１および第２円筒状ソケット１４Ａおよび１４Ｂの内面１５Ａおよび１５Ｂと部分的に一致する（すなわち一続き）よう延在する。同様に、第２ケーシング２６の後部ハウジング２５は、また第１円筒状スリーブ２４Ａおよび第２円筒状スリーブ２４Ｂに部分的に一致するよう延在する。
【００３１】
後方部分３２の外面は、第１および第２コネクタ１０および１２が嵌合する場合に第１円筒状ソケット１４Ａおよび第２円筒状ソケット１４Ｂの各自由端部１４’Ａ、１４’Ｂに対して圧縮されるよう構成された横方向に平らな部分５０をさらに備える（図７参照）。この平らな部分５０は、第１および第２前方部分３０Ａおよび３０Ｂを共に後方部分３２に接続する。
【００３２】
第１および第２コネクタを共に接続する場合における誤りの危険性を回避するために、第２ケーシング２６には、嵌合軸Ｘ−Ｘに沿って第１および第２円筒状スリーブ２４Ａおよび２４Ｂの間に延在する分極突起５２が設けられている。第１ケーシング１６には、それに応じて分極突起５２を１つの位置のみに受け入れることができる位置決め凹所５４が設けられている。
【００３３】
分極突起５２は、後部ハウジング２５から第１および第２円筒状スリーブ２４Ａおよび２４Ｂの間を延在し、かつ封止システム２８を通過する。したがって位置決め突起５２が通って延在する開口部５６が、２つの前方部分３０Ａおよび３０Ｂの間の封止システム２８の平らな部分５０に設けられている。
【００３４】
第１および第２コネクタ１０および１２が嵌合する場合に、封止システム２８は、コネクタ内に水および／またはちりが進入する危険性を減らす。より正確には、第１および第２前方部分３０Ａおよび３０Ｂは、それぞれ個別に第１および第２電力端子スリーブを封止するのに対し、後方部分３２は、第１および第２コネクタ１０および１２を封止する。
【００３５】
図５Ａおよび図５Ｂによく見えるように、２つのコネクタ１０および１２を確実に嵌合するために、第２ケーシング２６には外形に均等に分散された１つまたはいくつかの接続舌片５８を設けることができ、接続舌片は、コネクタ保持部を形成し、かつ第１ケーシング１６の内側および外側ハウジング１８および２０の間の環状空間２２内に収容される。
【００３６】
封止システム２８を第２ケーシング２６に固定するために、後方部分３２には、第２ケーシングの相補的な保持手段と協働するよう構成された１つまたは複数の保持手段が設けられ、後方部分３２を介して第２コネクタ１２に封止システム２８を保持する。
【００３７】
より正確には、図６Ａ〜図６Ｃに示されるように、フック形状を有する４つの後部突起６０が後方部分３２の後部に均等に配置され、かつ第２ケーシング２６に設けられた対応する環状フランジ６２と協働するように設計されている。
【００３８】
図５Ｂに最もよく示されているように、４つの保持突起６０は、第２ケーシング２６の接続舌片５８の間に分布している。
【００３９】
図８、図９Ａ〜図９Ｃおよび図１０Ａ〜図１０Ｃは、２つの電源コネクタを有するコネクタ組立体の他の実施形態を開示している。電力接点は、図４、図５Ａ〜図５Ｂ、図６Ａ〜図６Ｃおよび図７の実施形態のものと異なる大きさを有し、第１および第２コネクタ１０および１２は、わずかに異なる。しかし、大きさのみが最も異なる点であるため、不要な繰り返しを避けるために、重要な相違点のみを下記に述べる。
【００４０】
実際に、第１コネクタ１０には、第１および第２ソケット１４Ａおよび１４Ｂの間により大きな空間が設けられており、結果として位置決め凹所５４には、嵌合軸Ｘ−Ｘに沿って延在する２つの小さい横板が設けられる。分極突起５２は、図４、図５Ａ〜図５Ｂ、図６Ａ〜図６Ｃの実施形態のものと比較して異なる形である。封止部材２８は、基本的に開口部５６の大きさおよび形が異なる。実際に、開口部５６は、より大きく、かつ２つの前方部分３０Ａおよび３０Ｂの間の平らな部分５０における利用可能な空間のほとんど部分を占めており、開口部の凹面の湾曲は、２つの前方部分３０Ａおよび３０Ｂの外形に部分的に沿っている。
【００４１】
４つの同じような大きさ、およびより小さい５つめの、５つの電力接点を有するコネクタ組立体の実施形態を説明する。別の数の電力接点を有するコネクタ組立体、同じまたは異なる大きさの電力接点もまた本発明の一部である。
【００４２】
図１１、図１２Ａ〜図１２Ｂおよび図１３Ａ〜図１３Ｃを参照すると、コネクタ組立体は、主に同じ要素を備え、基本的に２つの電力接点を有する上述のコネクタとは異なる位置の電力接点が設けられているという点が異なる。
【００４３】
第１コネクタ１０（図１１参照）は、第１円筒状ソケット１４Ａ、第２円筒状ソケット１４Ｂ、第３円筒状ソケット１４Ｃ、第４円筒状ソケット１４Ｄ、および第５円筒状ソケット１４Ｅを備える。第１、第２、第３および第４円筒状ソケット１４Ａ〜１４Ｄは、好ましくはそれぞれ同じ大きさおよび同じ形であるのに対し、第５円筒状ソケット１４Ｅは、より小さく、異なる形である。より正確には、第１、第２、第３および第４円筒状ソケット１４Ａ〜１４Ｄは、（嵌合軸に垂直の断面を見ると）ほとんど卵形の外形であるのに対し、第５円筒状ソケット１４Ｅはむしろ（嵌合軸に垂直の断面を見ると）円形である。
【００４４】
５つの円筒状ソケットは、一方が少なくとも１つの他方に結合することができる。例えば図示されるように、ソケットは並んでおり、嵌合軸Ｘ−Ｘに沿って対で結合される。第５円筒状ソケット１４Ｅは、例えば第１、第２および第４円筒状ソケット１４Ａ、１４Ｂおよび１４Ｄの間に配置される。
【００４５】
図１１の第１コネクタ１０に接続される第２コネクタ１２（図１２Ａおよび図１２Ｂ参照）は、５つの対応する円筒状スリーブ２４Ａ〜２４Ｅを備える。より正確には、第１，第２，第３および第４円筒状スリーブ２４Ａ〜２４Ｄは、それぞれ同じ大きさおよび形（すなわち卵形）であるのに対し、第５円筒状ソケット２４Ｅは、より小さく、円形である。
【００４６】
第５円筒状スリーブ２４Ｅは、第５円筒状ソケット１４Ｅに対応して第１、第２および第４円筒状スリーブ２４Ａ、２４Ｂおよび２４Ｄの間に配置される。
【００４７】
分極突起５２を第２円筒状ソケット１４Ｂの隣に配置することができる。分極突起５２のために封止部材２８に設けられた開口部５６はほぼ長方形であり、かつ第２円筒状ソケット１４Ｂの隣に対応する平らな部分５０に配置される。
【００４８】
封止システム２８を第２ケーシング２６保持器に固定するために、矢状に終端する８個の後部スタッド６０が後方部分３２の後部に均等に分配され、かつ第２ケーシング２６に設けられた対応する穴６２を貫通することができる。
【００４９】
２対の電力接点を有する上述のコネクタ組立体のように、封止システム、より正確には各前方部分３０Ａ〜３０Ｅの外面３３Ａ〜３３Ｅおよび後方部分の外面３３には、上述したものと類似した対応する膨隆部が設けられている。
【００５０】
使用者が第１および第２コネクタを共に嵌合する場合に、電力接点が１本の指に接触する危険性を回避するために、ＵＴ２Ｘ標準により各円筒状ソケットおよび各円筒状スリーブが電力接点を囲んでいる。
【００５１】
これらのコネクタ組立体は、特定の用途（すなわち車両用）に関して説明されたが、他の用途にも使用することができる。
【００５２】
示された実施形態において、コネクタ組立体は、第１コネクタ１０および第１コネクタと結合する第２コネクタ１２を備える。
【００５３】
システムを図式的に描いた図１４に示すように、第１コネクタ１０は例えば自動車両の基部６４によって支持されるのに対し、第２コネクタ１２は、電力供給部、より正確にはバッテリー６６に支持されることができる。
【００５４】
本発明が、上記に特に示され、説明されたことによって限定されないことを当業者は理解するだろう。特に本発明は、電気または光学の任意の種類のコネクタに適用することができる。さらに説明は、電力を伝えるコネクタ組立体に関するものであるが、信号を伝えるコネクタ組立体に置き換えることができることは明らかである。
【符号の説明】
【００５５】
１０  第１コネクタ
１２  第２コネクタ
１４  円筒状ソケット
１４’Ａ、１４’Ｂ  自由端部
１５Ａ、１５Ｂ  円筒状ソケットの内面
１６  第１ケーシング
１８  内側ハウジング
１８Ａ  内側ハウジングの内面
２０  外側ハウジング
２２  環状空間
２４  円筒状スリーブ
２５  後部ハウジング
２６  第２ケーシング
２８  封止システム
３０  前方部分
３２  後方部分
３３  外面
３４Ａ、３４Ｂ  膨隆部
４２  膨隆部
５０  平らな部分
５２  分極突起
５４  凹所
５６  開口部
６０  保持突起
６２  環状フランジ
【図１】
2013516032.tif 000003
【図２】
2013516032.tif 000004
【図３Ａ】
2013516032.tif 000005
【図３Ｂ】
2013516032.tif 000006
【図４】
2013516032.tif 000007
【図５Ａ】
2013516032.tif 000008
【図５Ｂ】
2013516032.tif 000009
【図６Ａ】
2013516032.tif 000010
【図６Ｂ】
2013516032.tif 000011
【図６Ｃ】
2013516032.tif 000012
【図７】
2013516032.tif 000013
【図８】
2013516032.tif 000014
【図９Ａ】
2013516032.tif 000015
【図９Ｂ】
2013516032.tif 000016
【図１０Ａ】
2013516032.tif 000017
【図１０Ｂ】
2013516032.tif 000018
【図１０Ｃ】
2013516032.tif 000019
【図１１】
2013516032.tif 000020
【図１２Ａ】
2013516032.tif 000021
【図１２Ｂ】
2013516032.tif 000022
【図１３Ａ】
2013516032.tif 000023
【図１３Ｂ】
2013516032.tif 000024
【図１３Ｃ】
2013516032.tif 000025
【図１４】
2013516032.tif 000026
【国際調査報告】
2013516032.tif 000027
2013516032.tif 000028